(57)【要約】【課題】  特別な構成を備えることなく雨水等の浸入を抑制する電気機器を提供する。【解決手段】  本発明の電気機器は、架台もしくは建屋の壁面に取り付けられる取付板１３と取付板に取り付けられる筐体１とから成るものにおいて、筐体１に設けられ配線を通す開口１１と、取付板１３に設けられ配線を通す配線通過部１３ａと、開口１１を塞いで設けられ配線を通す筒状の導入路１４を有するガイド部材５とを備え、ガイド部材５の導入路１４の一方の開口５ａを筐体内の上方に向けて開け、かつ他方の開口５ｃを配線通過部１３ａに相対向して開けると共に、配線通過部１３ａの上縁から切起こされた舌部１３ｂの先端を導入路の他方の開口５ｃの上縁の上まで延在させるものである。【選択図】図１
2017216264.tif 000002
【特許請求の範囲】
【請求項１】
架台もしくは建屋の壁面に取り付けられる取付板と当該取付板に取り付けられる筐体と
から成る電気機器において、前記筐体に設けられ配線を通す開口と、前記取付板に設けら
れ前記配線を通す配線通過部と、前記開口を塞いで設けられ前記配線を通す筒状の導入路
を有するガイド部材とを備え、前記ガイド部材の前記導入路の一方の開口を前記筐体内の
上方に向けて開け、かつ他方の開口を前記配線通過部に相対向して開けると共に、前記配
線通過部の上縁から切起こされた舌部の先端を前記導入路の他方の開口の上縁の上まで延
在させることを特徴とする電気機器。
【請求項２】
前記ガイド部は前記導入路を通る前記配線を下から上方へ向かって導く傾斜部を備える
請求項１に記載の電気機器。
【請求項３】
前記舌部は上方に向かって傾斜していることを特徴とする請求項１また請求項２に記載
の電気機器。
【発明の詳細な説明】
【技術分野】
【０００１】
本発明は、例えば筐体の背面側からこの筐体の内部へ配線を通す電気機器にかかり、そ
の配線の導入路に関するものである。
【背景技術】
【０００２】
従来、太陽電池からの直流電力を、交流電力に変換する電力変換装置が知られている。
この種の電力変換装置としては、例えば、インバータ回路を構成する基板と、基板を収容
する筐体とを備えたものが知られている（たとえば、特許文献１を参照）。
特許文献１に記載の電力変換装置では、インバータ回路は、太陽電池の直流電力を交流
電力に変換する電気回路の一部を構成し、筐体は、電気回路を構成する電装部品を収納す
る収納箱として機能している。この電力変換装置は、筐体の背面パネルに切り欠きが形成
され、この切り欠きを介して直流電力が入力されるＤＣ入力配線や交流電力が出力される
ＡＣ出力配線を筐体の内部に引き入れるようにしていた。
【先行技術文献】
【特許文献】
【０００３】
【特許文献１】特開２０１４−９０６０４号公報
【発明の概要】
【発明が解決しようとする課題】
【０００４】
特許文献１に記載された電力変換装置は、建物内の壁面に取り付けられる場合だけでな
く、屋外側の壁面に取り付けられる場合がある。電力変換装置は、屋外側の壁面に取り付
けられる場合、雨水が入り込むと、電気回路の信頼性が低下する虞がある。
【０００５】
電力変換装置は、屋外側の壁面に取り付ける場合、より信頼性の高い構成が求められて
おり、上述した構成だけでは不十分であり、更なる改良が求められている。
本発明の目的は、より信頼性の高い電力変換装置を提供することにある。
【課題を解決するための手段】
【０００６】
本発明の電気機器は、架台もしくは建屋の壁面に取り付けられる取付板と当該取付板に
取り付けられる筐体とから成るものにおいて、筐体に設けられ配線を通す開口と、取付板
に設けられ配線を通す配線通過部と、開口を塞いで設けられ配線を通す筒状の導入路を有
するガイド部材とを備え、ガイド部材の導入路の一方の開口を筐体内の上方に向けて開け
、かつ他方の開口を配線通過部に相対向して開けると共に、配線通過部の上縁から切起こ
された舌部の先端を前記導入路の他方の開口の上縁の上まで延在させることを特徴とする
ものである。
【発明の効果】
【０００７】
本発明の電気機器は、ガイド部材を用いて配線を通すと共に舌部を用いて雨水等の筐体
内への浸入を抑制しているものである。
【図面の簡単な説明】
【０００８】
【図１】図１は、本発明の一実施形態を示す電気機器の説明図である。
【図２】図２は、図１に示した電気機器を側面から見た説明図である。
【図３】図３は、図１に示したガイド部材の取付付近を示す説明図である。
【図４】図４は、図１に示したガイド部材の説明図である。
【図５】図５は、図１に示したガイド部材の説明図である。
【図６】図６は、取付板の一実施形態を示す説明図である。
【発明を実施するための形態】
【０００９】
図１、図２において、１は筐体であり板金（カラー鋼板などでもよい）を前面側に開口
を備え有底状に絞り加工を施し、かつ周壁の開口側をフランジ状に加工したものである。
２は筐体１の底壁、３はフランジ部である。フランジ部３には略四角枠形状のゴムパッキ
ン４が取り付けられ、開口の前面側からフランジ部３の四隅のネジ穴を用いて前面パネル
（図示せず）がゴムパッキン４の上に気密性を保って取り付けられる。
【００１０】
５はガイド部材であり、筐体１の底壁２に設けられかつ配線を通す開口１１（図３参照
）を塞ぐように複数のネジ６ａ乃至６ｈで底壁２に密着するように取り付けられている。
ガイド部材５は、配線を通す筒状の導入路１４（図４参照）を有し、ガイド部材５の導入
路の一方の開口５ａを筐体１内の上方に向けて開けている。ガイド部材５には配線を開口
５ａ側へ導きやすくする傾斜部５ｂが筐体１の下側から上側に向かって手前側（前面パネ
ル側）へ出てくるように構成されている。
【００１１】
７は交流端子台であり、例えば、単相三線式では２つの交流出力端子と中性点の端子で
あり、３相交流であれば３つの交流出力端子である。これらの端子には開口５ａを介して
引き込まれた配線が螺子止めされる。８は直流開閉スイッチ群であり、４つ開閉スイッチ
から構成している。例えば４つの直流電源（例えば太陽電池のストリング）からの２本の
配線（正極、負極）が夫々開口５ａを介して引き込まれた後螺子止めされる。開閉スイッ
チをＯＦＦに操作することによって、直流電源とこの電気機器との接続が遮断される。開
閉スイッチの数はこれに限るものではなく、１つから筐体１に収容できる数まで電気機器
の仕様に応じて変えることができるものである。
【００１２】
９ａ乃至９ｃは絶縁カバーであり、電装基板（図示せず）を覆うように被せたものであ
る。１０ａ乃至１０ｅは配線管を介して配電を引き込む際のジョイントである。尚、これ
らのジョイント１０ａ乃至１０ｅを介して配線を筐体１内へ引き込むときはガイド部材５
の一方の開口５ａを蓋部材（図示せず）で塞ぐことにより雨水等の浸入を抑制可能になる
ものである。
【００１３】
筐体１の底壁２の裏側（背面）には、アルミダイキャストによるカップ１２が取り付け
られており内部に発熱性の電気部品（リアクトルなど）が収納される。尚、カップ１２の
外面には放熱性を高めるためのフィンが複数設けられている。
【００１４】
ガイド部材５は開口１１を塞いで設けられ導入路の他方の開口５ｃは取付板１３の配線
通過部に相対向している。取付板１３は例えば野立ての架台もしくは建屋の壁面に取り付
けられている。筐体１はカップ１２に設けられた係止部を取付板１３の上部に掛けた後、
ガイド部材５に金具を介して螺子止めされて固定される。
【００１５】
図３、図４、図５において、ガイド部材５は底壁２の外面側に位置するフランジ部５ｆ
で開口１１を塞いで設けられている。フランジ部５ｆには複数のネジ受け５ｅ（例えば８
個のネジ受けには同じ符号を付す。）がほぼ均等に配置されている。このフランジ部５ｆ
は底壁２の内側からネジ６ａ乃至６ｈを底壁２のネジ穴（図示せず）を介して対応するネ
ジ受け５ｅにねじ込んで底壁２に密着して固定される。この固定により開口１１から雨水
等の浸入を抑制している。
【００１６】
ガイド部材５は配線を通すための筒状（例えば下方が開放した略コ字状）の導入路１４
を備え、この導入路１４の外側とフランジ部５ｆとをつなげる補強リブ５ｄ（例えば６個
のリブであり同じ符号を付す。）が設けられている。導入路１４の開口５ａ側はリブを用
いて３つの区画１４ａ、１４ｂ、１４ｃに分割され、導入路１４を通る配線を整理し、交
流端子台７及び直流開閉スイッチ群８への配線接続を容易にすることができるものである
。例えは、区画１４ａは信号線を通す区画であり、区画１４ｂは系統へ繋がる交流用の配
線を通す区画であり、区画１４ｃは直流電源からの配線を通す区画である。
【００１７】
図３、図６において取付板１３には配線が通る配線通過部１３ａがあり、例えば建屋の
壁を通って配線される配線の引き出し口に対応する位置に設けられている。ガイド部材５
の導入路１４の他方の開口５ｃはこの配線通過部１３ａに相対向して開けられている。ま
た、配線通過部１３ａの上縁から切起こされた舌部１３ｂの先端は導入路１４の他方の開
口５ｃの上縁の上まで延在させている。この舌部１３ｂは上方に向かって傾斜するように
折り曲げられており、取付板１３を伝って来た雨水等が導入路１４の中や配線を伝って筐
体１内に浸入するのを抑制することができるものである。尚、図６の取付板１３を架台や
壁面等に取り付ける際のビス孔は、電気機器の設置によって任意に変更／選択ができるの
で図示は省略している。
【００１８】
このように構成されたガイド部材５を用いることにより、ガイド部材５の導入路１４を
通った配線は傾斜部５ｂに当たり上方に開いた一方の開口５ａの側に向きが変えられる。
従って、配線を伝った雨水等はこの配線の向きが変えられる位置で水切りが成され筐体１
内への浸入が抑制される。尚、この位置で水切りされた雨水等は導入路１４の下方に開い
ている部分からガイド部材５の下方に排水される。取付板１３を伝った雨水等は上方に向
かって傾斜する舌部１３ｂで受け止められ導入路１４内の配線に伝わるのを抑制している
。
【産業上の利用可能性】
【００１９】
本発明の電気機器は外部から電気配線等を引き込む際に雨水等の浸入を抑制する配線の
引き込み口に適用できるものである。
【００２０】
以上、本発明の一実施形態について説明したが、以上の説明は本発明の理解を容易にす
るためのものであり、本発明を限定するものではない。本発明はその趣旨を逸脱すること
なく、変更、改良され得ると共に本発明にはその等価物が含まれることは勿論である。
【符号の説明】
【００２１】
１    筐体
２    底壁
５    ガイド部材
５ａ  一方の開口
５ｃ  他方の開口
１１    開口
１３    取付板
１３ａ  配線通過部
１４    導入路
【図１】
2017216264.tif 000003
【図２】
2017216264.tif 000004
【図３】
2017216264.tif 000005
【図４】
2017216264.tif 000006
【図５】
2017216264.tif 000007
【図６】
2017216264.tif 000008